(57)【要約】【課題】折り畳んだ折戸を展開させる際にスムースに展開できるようにする。【解決手段】レール１に沿って移動できるガイド部材８をレール１内に取り付け、ガイド部材８に傾斜する溝９をあけている。戸先側折戸１１に取り付けたガイドローラ１５を溝９にはめている。吊元側折戸１０の吊元側軸ピン１３は、レール１の右端に取り付けた軸受片４に固定している。戸先側折戸１１を吊元側折戸１０の方へ折り畳んだとき、レール１に対し９０度を超える角度に傾いている。この状態から展開させようと力Ｆを加えたとき、力Ｆの分力が戸先側折戸１１の端部を押す力ｆになり、スムースに展開させることができる。【選択図】          図２
2004270420.tif 000002
【特許請求の範囲】
【請求項１】
折戸を取り付ける開口間口の上方及び又は下方に取り付けるものであって、戸先側折戸（１１）の上方及び又は下方に取り付けた戸先側軸ピン（１４）又は戸先側軸ピン（１４）に取り付けたガイドローラ（１５）をはめることができ、しかも吊元側折戸（１０）に対し戸先側折戸（１１）を折り畳んでいく際に吊元側折戸（１０）と戸先側折戸（１１）とが折れ曲がる側へ戸先側軸ピン（１４）又はガイドローラ（１５）を片寄せる傾斜縁（２９）を設けたガイド部材（８）を移動可能に取り付けた折戸レール。
【請求項２】
折戸を取り付ける開口間口の上方及び又は下方に取り付けるレール（１）に沿って移動可能に取り付けるようにしたものであって、戸先側折戸（１１）の上方及び又は下方に取り付けた戸先側軸ピン（１４）又は戸先側軸ピン（１４）に取り付けたガイドローラ（１５）をはめることができ、吊元側折戸（１０）に対し戸先側折戸（１１）を折り畳んでいく際に吊元側折戸（１０）と戸先側折戸（１１）とが折れ曲がる側へ戸先側軸ピン（１４）又はガイドローラ（１５）を片寄せる傾斜縁（２９）を設けた折戸レール取付用ガイド部材。
【請求項３】
折戸を取り付ける開口間口の上方及び又は下方に取り付けるものであって、吊元側折戸（１０）に対し戸先側折戸（１１）を折り畳んでいく際に折り畳みが完了する直前の位置から完了する位置に掛けて、戸先側折戸（１１）の上方及び又は下方に取り付けた戸先側軸ピン（１４）又は戸先側軸ピン（１４）に取り付けたガイドローラ（１５）を吊元側折戸（１０）と戸先側折戸（１１）とが折れ曲がる側へ片寄せる傾斜縁（２９）を備えたガイド部材（８）を設けた折戸レール。
【請求項４】
折戸を取り付ける開口間口の上方及び又は下方に取り付けるレール（１）に対し、吊元側折戸（１０）に対し戸先側折戸（１１）を折り畳んでいく際に折り畳みが完了する直前の位置から完了する位置に掛けて使用するものであって、戸先側折戸（１１）の上方及び又は下方に取り付けた戸先側軸ピン（１４）又は戸先側軸ピン（１４）に取り付けたガイドローラ（１５）を吊元側折戸（１０）と戸先側折戸（１１）とが折れ曲がる側へ片寄せる傾斜縁（２９）を設けた折戸レール取付用ガイド部材。
【発明の詳細な説明】
【０００１】
【発明の属する技術分野】
本発明は、住宅等で使用する折戸を取り付ける折戸レール及びその折戸レールに取り付けて使用するガイド部材に関するものである。
【０００２】
【従来の技術】
住宅の物入れ等収容部などの開閉扉等として使用する折戸は、次のようなものである。すなわち、開口間口の上部及び又は下部にレールを取り付け、例えば互いの間を蝶番で連結した２枚の折戸の対向端付近をそれぞれレールに取り付ける。各取付位置は各対向端から等距離の位置としている。このような折戸は折り畳んだ後に展開させる際に不都合が生じるが、その点を図２を参照して説明する。
【０００３】
レールへの取付位置を両折戸の対向端から等距離としているため、折り畳んだとき両折戸はレールとほぼ直角になる。しかも、折戸のレールへの取付部材とレールとの間に遊びがある。このため、折り畳んだ状態から展開させようと折戸の折曲げ部を押したとき、折戸の端縁側を残したまま折曲げ部側が前進しレールに対し折戸が９０度以下の角度となる。これでは折戸が突っ掛って展開しない。
【０００４】
このような不都合を解消しようとして、例えば次のようなものが開発された。（特許文献１参照）。すなわち、戸先側の折戸の端縁寄り上面に楕円形又は長方形のピボット穴をあけ、ガイドピンカバーを上面に設けたガイドをピボット穴に回転可能にはめて取り付け、ガイドピンカバーの偏心位置にレールにはめるガイドピンを上方に向けて取り付けたものである。戸先側の折戸においてガイドピンが内側になる状態にしてガイドをピボット穴にはめて取り付けたときは、ガイドピンの位置は吊元側の折戸のガイドピンの位置と一致している。ガイドを１８０度回転させて取り付けたときは戸先側の折戸のガイドピンが端縁側へ移動するため、折り畳んだときはレールに対し両折戸が９０度を超える角度に傾く。このため、折り畳んだ状態から展開させようと折戸の折曲げ部を押すと、押す力の分力が戸先側折戸の端縁側を押す力になり、展開がスムースに進行する。
【０００５】
【特許文献１】
実開昭５９−１３６８７４号公報
【０００６】
【発明が解決しようとする課題】
特許文献１のものは展開が容易であるが、次のような欠点を持っている。まず、折戸の上面の所定位置にやや大きな楕円形又は長方形のピボット穴をあけなければならない。所定位置に所定形状のピボット穴を正確にあけるのは時間が掛って手数の要る作業となるだけでなく、折戸が薄い場合はやや大きなピボット穴をあけるのが困難なこともある。また、ガイドをうっかり逆方向に取り付けても、外観からは目視チェックが容易にはできないため、全部を組み付けて作動させてから初めてガイドの取付けミスに気付き、最初からやり直さなければならないことになったりもする。また、ガイドピンカバーの偏心位置にガイドピンを設けたガイドは製作が高価に付く。また、折戸への穴加工が特殊となるため加工済み従来品との互換性が全くなく、製作上のリスクは極めて大きい。本発明が解決しようとする課題は、折戸を折り畳んだ状態からスムースに展開させることができるだけでなく、誤った組み付けをすることもないものを安価に提供する点にある。
【０００７】
【課題を解決するための手段】
請求項１に係る折戸レールは、折戸を取り付ける開口間口の上方及び又は下方に取り付けるものであって、戸先側折戸１１の上方及び又は下方に取り付けた戸先側軸ピン１４又は戸先側軸ピン１４に取り付けたガイドローラ１５をはめることができ、しかも吊元側折戸１０に対し戸先側折戸１１を折り畳んでいく際に吊元側折戸１０と戸先側折戸１１とが折れ曲がる側へ戸先側軸ピン１４又はガイドローラ１５を片寄せる傾斜縁２９を設けたガイド部材８を移動可能に取り付けたものである。請求項２に係る折戸レール取付用ガイド部材は、折戸を取り付ける開口間口の上方及び又は下方に取り付けるレール１に沿って移動可能に取り付けるようにしたものであって、戸先側折戸１１の上方及び又は下方に取り付けた戸先側軸ピン１４又は戸先側軸ピン１４に取り付けたガイドローラ１５をはめることができ、吊元側折戸１０に対し戸先側折戸１１を折り畳んでいく際に吊元側折戸１０と戸先側折戸１１とが折れ曲がる側へ戸先側軸ピン１４又はガイドローラ１５を片寄せる傾斜縁２９を設けたものである。
【０００８】
請求項３に係る折戸レールは、折戸を取り付ける開口間口の上方及び又は下方に取り付けるものであって、吊元側折戸１０に対し戸先側折戸１１を折り畳んでいく際に折り畳みが完了する直前の位置から完了する位置に掛けて、戸先側折戸１１の上方及び又は下方に取り付けた戸先側軸ピン１４又は戸先側軸ピン１４に取り付けたガイドローラ１５を吊元側折戸１０と戸先側折戸１１とが折れ曲がる側へ片寄せる傾斜縁２９を備えたガイド部材８を設けたものである。請求項４に係る折戸レール取付用ガイド部材は、折戸を取り付ける開口間口の上方及び又は下方に取り付けるレール１に対し、吊元側折戸１０に対し戸先側折戸１１を折り畳んでいく際に折り畳みが完了する直前の位置から完了する位置に掛けて使用するものであって、戸先側折戸１１の上方及び又は下方に取り付けた戸先側軸ピン１４又は戸先側軸ピン１４に取り付けたガイドローラ１５を吊元側折戸１０と戸先側折戸１１とが折れ曲がる側へ片寄せる傾斜縁２９を設けたものである。
【０００９】
請求項１・３に係る折戸レールは、開口間口の上方及び又は下方に取り付け、折戸を取り付けて使用する。そして、吊元側折戸１０に対し戸先側折戸１１を折り畳んでいくときは、吊元側折戸１０と戸先側折戸１１とが折れ曲がる側へガイド部材８の傾斜縁２９によって戸先側軸ピン１４又はガイドローラ１５が片寄せられる。このため、折り畳みが終ったときは吊元側折戸１０と戸先側折戸１１とがレール１に対し９０度を超える角度に折れ曲がっている。この状態から折れ曲がった側を押して展開させようとするとき、押す力の分力が戸先側折戸１１の端部側を押す力になり、スムースに展開させることができる。請求項２・４に係る折戸レール取付用ガイド部材を折戸レールに所定どおりに取り付けて使用する場合の作動も同様である。
【００１０】
【実施例】
実施例１
実施例１を図１及び図２に基づいて説明する。図１・２は開口間口の下方に取り付けた部分を示したものであり、上方部は図示を省いたが下方部とおおむね対称である。１は、開口間口の下方に取り付けた化粧枠２に取り付けたレールを示している。レール１内の右端にナット３を装置している。レール１内にちょうどはまる長方形の軸受片４を用意している。軸受片４の中央に軸受穴５を設け、軸受穴５の左右に穴６をそれぞれあけている。レール１の右端に軸受片４をはめ、軸受片４の穴６からナット３へとビス７をねじ込んで軸受片４を取り付ける。穴６を左右に設けたのは、レール１の左右どちらにも軸受片４を取り付けることができるようにするためである。レール１内にちょうどはまってレール１内を移動する長方形のガイド部材８を用意している。ガイド部材８には、左側から右側へいくほど次第に手前側になるように傾斜する溝９を設けている。溝９の向う側の縁が傾斜縁２９となる。
【００１１】
吊元側折戸１０と戸先側折戸１１を蝶番１２で連結したものを用意している。吊元側折戸１０の端部に下方からあけたくぼみに吊元側軸ピン１３を挿入し、吊元側軸ピン１３の下端の小径部を軸受片４の軸受穴５にはめる。場合によっては吊元側軸ピン１３として上下それぞれ専用の機構のものを使用することもあるが、軸受片４の軸受穴５にはまる部分の形状はおおむね同じである。戸先側折戸１１の端部に下方からあけたくぼみに戸先側軸ピン１４を挿入し、戸先側軸ピン１４の下端に取り付けたガイドローラ１５をガイド部材８の溝９にはめる。開口間口の上方においても上下逆にし同じものを同様にしてレール１に取り付ける。なお、ガイド部材８には外れ止めの爪２６を設け、これがレール１の突条に引っ掛って不用意に脱落することを防止し安定した装着ができるようにしている。
【００１２】
図２に示すように、戸先側折戸１１を吊元側折戸１０側へ折り畳んだとき戸先側軸ピン１４のガイドローラ１５がガイド部材８を吊元側折戸１０側へ引き寄せ、しかもガイドローラ１５がガイド部材８の溝９内を右端まで移動している。このとき、戸先側折戸１１の方が吊元側折戸１０より手前側へ位置し、このため吊元側折戸１０・戸先側折戸１１はレール１の中心線に対して、従来方式による場合の戸先側折戸１１の想定位置がなす角度ｇより角度ａ＋ｂだけ吊元側へ傾いている。なお、ａはレール１の中心線とガイド部材８の傾斜縁２９との間の角度であり、ｂはガイドローラ１５の中心と吊元側軸ピン１３の中心とを結ぶ線とレール１の中心線との間の角度である。この状態から蝶番１２側を押して展開させようと力Ｆで蝶番１２側を押すとき、押す力Ｆの分力が戸先側折戸１１の先端側を押す力ｆになりスムースに展開させることができる。
【００１３】
実施例２
実施例２を図３に基づいて説明する。１６はグリップを示しているが、グリップ１６の右端側に穴１７をあけて左端には左側へ突出するグリップアーム１８を設けている。グリップアーム１８は弾性を持ち中ほどを弓形に湾曲させている。グリップ１６をレール１の右端内にはめ、ビス１９を穴１７からレール１へとねじ込んで取り付ける。ガイド部材８は、図３の下方左図が示すようにレール１の開口部に内側へ向けて設けた両突条を上下から挟んで取り付けるようにしている。吊元側折戸１０の上下にもガイドローラ２０を取り付け、ガイドローラ２０をレール１にはめている。戸先側折戸１１のガイドローラ１５をガイド部材８の溝９にはめている。吊元側折戸１０の右端側はガイドローラ２０をグリップアーム１８にグリップさせ固定したままとすることもできるし、ガイドローラ２０をグリップアーム１８から外し吊元側折戸１０を移動できるようにしてもよい。吊元側折戸１０を移動させた後で折戸を展開させて吊元側折戸１０の右端側をレール１の右端側へ移動させてきたとき、ガイドローラ２０がグリップアーム１８に拘束され図３に示す状態になる。
【００１４】
実施例３
実施例３を図４に基づいて説明する。この実施例は上部を吊車式としたもので、下部は実施例２と同様のものにするか、図４に示すグリップ１６を用いて吊元側軸ピン１３を拘束するようにしてもよい。
【００１５】
吊元側軸ピン１３及び戸先側軸ピン１４の上部にそれぞれ設けた吊車２７をレール１の両突条に乗せて折戸の荷重を支え、吊車２７によってレール１に沿って滑走させ折戸を移動させる構造とした。吊車２７に連なる軸部をレール１の両突条間に配置してガイドするようにしている。また、軸部にはスリーブ状のガイドローラ１５を設け、ガイド部材８の溝９内を円滑に移動できるようにしている。そして、グリップ１６のグリップアーム１８は２本をＶ字形にしたものとし、吊元側軸部を挟み込んで拘束するようにしている。
【００１６】
実施例４
実施例４を図５に基づいて説明する。実施例４は４枚折戸の拝み部に特徴を持つ実施例である。レール１の中央にストッパー２１を取り付け、折戸を展開したとき左右のガイド部材８の先端がストッパー２１に当るようにしている。左右の戸先側折戸１１のガイドローラ１５がはまるガイド部材８には溝９の先方にレール１と平行の平行溝２２を設け、平行溝２２内にばね２３をはめている。折戸を展開させるときガイド部材８がストッパー２１に当った後にばね２３を圧縮させることで折戸をしっかり保持することができる。また、ストッパー２１を設けずに、左右の折戸を展開状態にしたとき左右のガイド部材８の先端が互いにぶつかり合う構造にしても、同様の効果を得ることができる。
【００１７】
実施例５
実施例５を図６に基づいて説明する。レール１内の右端にビス７で軸受片４を取り付けている。移動するガイド部材８は使用せず、軸受片４の左方向う側に手前側へ傾斜するガイド部材８を設けている。レール１内の左端にはストッパー２１を取り付け、ストッパー２１には手前側だけ右側へ突出する支持片２４を設けている。
【００１８】
実施例６
実施例６を図７に基づいて説明する。４枚折戸の拝み部に取り付けるストッパー２１の左右に支持片２４を設けている。
【００１９】
実施例７
実施例７を図８に基づいて説明する。４枚折戸の拝み部及びレール１の端部の所定位置においてストッパー２１及びガイド部材８をそれぞれ配置し、木ねじ２８で化粧枠２にそれぞれ取り付けている。ストッパー２１の左右中央にガイドローラ１５がちょうどはまるくぼみ２５を設けている。
【００２０】
実施例８
実施例８を図９に基づいて説明する。レール１の右端に軸受片４を取り付け、軸受片４の上からガイド部材８を取り付けるようにしている。
【００２１】
【発明の効果】
請求項１・３に係る折戸レールを開口間口の上方及び又は下方に取り付けて使用するとき、及び請求項２・４に係る折戸レール取付用ガイド部材を折戸レールに取り付けその折戸レールを開口間口に使用するとき、折戸を折り畳んだ状態から展開させる際にスムースに展開させることができる。また、請求項１・３に係る折戸レールを開口間口に取り付けるとき、ガイド部材８の傾斜縁２９を見ながら取り付ければ取付方向を誤ることはない。請求項２・４に係る折戸レール取付用ガイド部材を折戸レールに取り付けるときも、ガイド部材８の傾斜縁２９を確かめながら行えば間違うことはない。ガイド部材８は構造が簡単で安価に製作できる。これを既製の折戸レールに取り付けて使用することもできるから、極めて安価になる。しかも、用いる軸ピンは選び方次第で従来の市販品を使用することもできるし、軸ピン取付穴の加工も同じでよいので、従来品の穴加工済み建具を無駄にすることなくそのまま活用したり、互いに転用したりすることも可能である。この点のメリットは極めて大きい。
【図面の簡単な説明】
【図１】実施例１を示す斜視図である。
【図２】実施例１の作動を示す平面図である。
【図３】実施例２を示す平面図及び斜視図である。
【図４】実施例３を示す斜視図である。
【図５】実施例４を示す平面図である。
【図６】実施例５を示す平面図である。
【図７】実施例６を示す斜視図である。
【図８】実施例７を示す平面図である。
【図９】実施例８を示す斜視図である。
【符号の説明】
１  レール  ８  ガイド部材  １０  吊元側折戸
１１  戸先側折戸  １４  戸先側軸ピン  １５  ガイドローラ
２９  傾斜縁
【図１】
2004270420.tif 000003
【図２】
2004270420.tif 000004
【図３】
2004270420.tif 000005
【図４】
2004270420.tif 000006
【図５】
2004270420.tif 000007
【図６】
2004270420.tif 000008
【図７】
2004270420.tif 000009
【図８】
2004270420.tif 000010
【図９】
2004270420.tif 000011